(57)【要約】【課題】波長の異なるレーザ光を選択的に用いて対応する規格の記録媒体から情報を再生する際に、安定な再生信号が得られる光ヘッド装置および情報記録再生装置を提供する。【解決手段】この発明の光ディスク装置１は、主として波長６５５ｎｍのレーザ光に作用するバイナリ型回折格子３５−２と、主として波長４０５ｎｍのレーザ光に作用するブレーズ型回折格子３５−１が、その溝の延びる方向が実質的に平行に規定された光回折素子３５を有し、波長の異なるレーザ光Ｌ１，Ｌ２が対応する光ディスクから反射された反射レーザ光を、光検出器の実質的に同一の（または極めて近接した）検出領域に案内可能であり、光検出器の出力信号に含まれるノイズ成分を低減できる。【選択図】  図４
2006309852.tif 000002
【特許請求の範囲】
【請求項１】
記録媒体の記録面で反射された光を捕捉する対物レンズと、
前記対物レンズにより捕捉された光を、その光の波長に応じて予め決められている所定の方向に回折させる第１の回折格子と、第１の回折格子とは異なる種類の回折パターンを有し、前記光の波長に応じて予め決められている所定の方向に回折させる第２の回折格子と、を含む光回折素子と、
前記光回折素子により回折された光を、その回折角度に応じて予め決められた位置で検出し、その光強度に対応する大きさの出力信号を生起する光検出器と、
を有することを特徴とする光ヘッド装置。
【請求項２】
前記光回折素子の第１の回折格子はブレーズ型であり、前記光回折素子の第２の回折格子はバイナリ型であることを特徴とする請求項１記載の光ヘッド装置。
【請求項３】
前記第１の回折格子の溝が延びる方向と前記第２の回折格子の延びる方向は互いに平行に規定されることを特徴とする請求項１または２記載の光ヘッド装置。
【請求項４】
前記光検出器は、予め区分された複数の受光領域を有し、その受光領域の少なくとも一部の受光領域が、前記第１の回折格子により回折された光と前記第２の回折格子により回折された光のそれぞれにおいて共通であることを特徴とする請求項１ないし３のいずれかに記載の光ヘッド装置。
【請求項５】
第１の波長の光を出力する第１の光源と、
この第１の光源から出力される光の波長とは異なる第２の波長の光を出力する第２の光源と、
前記第１および第２の光源からの光が記録媒体の記録層で反射された反射光を取り込むレンズと、
このレンズにより取り込まれた前記第１および第２の光源からの光のうちの一方の光の波長に応じて予め規定される所定の角度で回折させる第１の回折格子と、
前記レンズにより取り込まれた前記第１および第２の光源からの光のうちの他の一方の光の波長に応じて予め規定されるとともに、前記第１の回折格子により前記第１の波長の光が回折される角度と関連付けられた所定の角度で回折させる第２の回折格子と、
前記第１および第２の回折格子により回折された光を検出し、その光の強度に対応する大きさの出力信号を出力する光検出器と、
を有することを特徴とする光ヘッド装置。
【請求項６】
前記第１の回折格子と前記第２の回折格子は、一体に形成されることを特徴とする請求項５記載の光ヘッド装置。
【請求項７】
前記第１の回折格子はブレーズ型であり、前記第２の回折格子はバイナリ型であることを特徴とする請求項５または６記載の光ヘッド装置。
【請求項８】
前記第１の回折格子の溝が延びる方向と前記第２の回折格子の延びる方向は互いに平行に規定されることを特徴とする請求項５ないし７のいずれかに記載の光ヘッド装置。
【請求項９】
前記光検出器は、予め区分された複数の受光領域を有し、その受光領域の少なくとも一部の受光領域が、前記第１の回折格子により回折された光と前記第２の回折格子により回折された光のそれぞれにおいて共通であることを特徴とする請求項５ないし８のいずれかに記載の光ヘッド装置。
【請求項１０】
記録媒体の記録面で反射された光を捕捉する対物レンズと、前記対物レンズにより捕捉された光を、その光の波長に応じて予め決められている所定の方向に回折させる第１の回折格子と、第１の回折格子とは異なる種類の回折パターンを有し、前記光の波長に応じて予め決められている所定の方向に回折させる第２の回折格子と、を含む光回折素子と、前記光回折素子により回折された光を、その回折角度に応じて予め決められた位置で検出し、その光強度に対応する大きさの出力信号を生起する光検出器と、を有する光ヘッド装置と、
前記光検出器により検出された信号から記録媒体に記録されている情報を再生可能に、その情報に対応する信号成分を取り出す信号再生回路と、
を有することを特徴とする情報記録再生装置。
【請求項１１】
前記信号処理回路の出力は、前記光ヘッド装置の対物レンズと記録媒体の記録層との間の間隔を、対物レンズの焦点位置に一致させることのできる制御信号に利用可能であることを特徴とする請求項１０記載の情報記録再生装置。
【発明の詳細な説明】
【技術分野】
【０００１】
この発明は、光学的情報記録媒体すなわち光ディスクに情報を記録し、または記録媒体から情報を再生する情報記録再生装置ならびにその情報記録再生装置に組み込まれる光ヘッド装置に関する。
【背景技術】
【０００２】
レーザ光を用いて非接触で情報が記録可能で、あるいは既に記録されている情報を再生できる光ディスクおよびその光ディスクに情報を記録し、または光ディスクから情報を再生する光ディスク装置（光ディスクドライブ）が実用化されて久しい。なお、ＣＤ規格やＤＶＤ規格と呼ばれる複数種類の記録密度の光ディスクが既に広く普及している。
【０００３】
近年、青色あるいは紫色の波長のレーザ光を用いて情報を記録することにより、さらに記録密度が高められた超高密度光ディスクＨＤ（High density（ハイ  デンシティ））ＤＶＤ（以下、ＨＤ  ＤＶＤと略称する）も既に実用化されている。
【０００４】
このような多種の光ディスクのそれぞれについて、光ディスク装置（ディスクドライブ装置）をそれぞれ用意することは、コスト面や設置場所の点で、非効率的であり、２以上の規格の光ディスクに情報を記録し、または記録されている情報を再生し、もしくは既に記録されている情報を消去可能であることが、望まれている。
【０００５】
ところで、既に広く普及しているＣＤ規格の光ディスクへの情報の記録や同光ディスクからの情報の再生および既に記録されている情報の消去に用いられるレーザ光の波長は、例えば７８５ｎｍである。一方、ＤＶＤ規格の光ディスクにおいては、同レーザ光の波長は、例えば６５５ｎｍである。これに対し、ＨＤ  ＤＶＤ規格の光ディスクへの情報の記録、光ディスクからの情報の再生ならびに既に記録されている情報の消去に用いられるレーザ光の波長は、４００ｎｍ〜４１０ｎｍである。
【０００６】
光ディスク装置は、光ディスク（記録媒体）の所定の位置に、所定の波長のレーザ光を照射する送光系と、光ディスクで反射されたレーザ光を検出する受光系と、送光系および受光系の動作を制御する機構制御（サーボ）系と、送光系に対して記録すべき情報や消去信号を供給し、受光系により検出された信号から記録されている情報を再生する信号処理系、等を含む。
【０００７】
なお、送光系および受光系は、半導体レーザ素子（レーザダイオード）と、レーザダイオードからのレーザ光を光ディスクの記録面に集光するとともに光ディスクで反射されたレーザ光を捕獲する対物レンズと、を含み、光ヘッドまたは光ピックアップ（ヘッド）と称されるユニットとして一体化されている。
【０００８】
しかし、複数規格の光ディスクからの情報の再生、もしくは光ディスクへの情報の記録に対して、レーザ光の波長（光ディスクの規格）毎に光ヘッドを個々に用意することは、光ディスクドライブ装置の大きさやコストを増大させることに他ならない。
【０００９】
このような背景から、単一の光ヘッドまたは光ピックアップにより、複数波長のレーザ光を出力可能とする多くの提案がある。
【００１０】
例えば、第１の波長の光を発生する第１の光源と、第１の波長とは異なる第２の波長の光を発生する第２の光源と、それぞれの光源からの光の光軸をまとめる光軸調整素子とを有し、それぞれの光源からの光を同一の光路を介して記録密度の異なる２以上の規格の光ディスクの情報記録面に集光可能とした光ピックアップであって、光軸調整素子に、バイナリブレーズ回折格子を用いたものが提案されている（例えば、特許文献１）。
【特許文献１】特開２００３−３０３４３８号公報
【発明の開示】
【発明が解決しようとする課題】
【００１１】
しかしながら、特許文献１に記載のあるようなバイナリブレーズ格子等の光学素子は、通過する光の波長によって、透過光量が異なることが知られている。また、光ディスクの記録面で反射された反射レーザ光が受光系の光検出器に案内される際に、波長ごとに結像位置が異なることはいうまでもない。
【００１２】
このため、複数の受光（検出）領域を設けた単一の光検出器により全ての波長のレーザ光を受光する系においては、レーザ光の波長に応じて検出領域相互間の間隔が異なることにより検出領域の個数が増大され、光検出器の大きさが大きくなる問題がある。このことは、検出出力中に含まれるノイズ成分が増大される（Ｓ／Ｎ比が悪化する）問題がある。
【００１３】
なお、波長毎の反射レーザ光の光強度の差（光学素子を通過した透過光量の差）は非常に大きく、後段に用意される信号処理回路（増幅器）の設計等も、非常に困難である。
【００１４】
本発明の目的は、異なる波長の複数の光を少ない損失で検出可能で、しかも検出出力の波長の差に依存する影響を低減可能な２以上の異なる規格の光ディスクからの情報を安定に再生できる光ヘッド装置および情報記録再生装置を提供することである。
【課題を解決するための手段】
【００１５】
この発明は、上記問題点に基づきなされたもので、記録媒体の記録面で反射された光を捕捉する対物レンズと、前記対物レンズにより捕捉された光を、その光の波長に応じて予め決められている所定の方向に回折させる第１の回折格子と、第１の回折格子とは異なる種類の回折パターンを有し、前記光の波長に応じて予め決められている所定の方向に回折させる第２の回折格子と、を含む光回折素子と、前記光回折素子により回折された光を、その回折角度に応じて予め決められた位置で検出し、その光強度に対応する大きさの出力信号を生起する光検出器と、を有することを特徴とする光ヘッド装置、を提供するものである。
【発明の効果】
【００１６】
本発明によれば、光ヘッド装置において、光回折素子を回折格子（ホログラム素子）の２層構造とし、最も波長の短い光ビームについてはブレーズ型、その他の波長の光ビームについてはバイナリ型として、それぞれの波長の光ビームが回折される位置（光検出器上での結像位置）を一致または近接させたことにより、２以上の波長の光ビームを光検出器のそれぞれの成分に対応する同一の受光領域により検出可能としたので検出出力のノイズ成分が低減され、安定な信号再生が可能である。
【発明を実施するための最良の形態】
【００１７】
以下、図面を参照して、この発明の実施の形態について詳細に説明する。
【００１８】
図１は、本発明の実施の形態が適用可能な情報記録再生装置（光ディスク装置）の構成の一例を示す。
【００１９】
図１に示す光ディスク装置１は、光ピックアップ（ＰＵＨアクチュエータ）１１からの以下に説明する所定波長のレーザ光を、以下に説明する任意の種類（規格）に対応する光ディスクＤの情報記録層に集光することで、光ディスクＤに情報を記録し、また光ディスクＤから情報を再生できる。なお、光ディスクＤは、例えばＣＤ規格、またはＤＶＤ規格もしくはＤＶＤ規格よりもさらに記録密度が高められているＨＤ（High density（ハイ  デンシティ））ＤＶＤディスク等である。
【００２０】
ＰＵＨ１１は、図２により後段に説明するが、第１の波長（４０５ｎｍ）の光ビーム、第２の波長（６５５ｎｍ）の光ビームおよび第３の波長（７８５ｎｍ）の光ビームのいずれかを、装着されている光ディスクＤの種類に合わせて出力可能である。また、ＰＵＨ１１は、光ディスクＤの図示しない情報記録面で反射された反射レーザ光を検出して、既に記録されている情報の再生に利用可能な出力信号を出力する。
【００２１】
詳細には、光ディスクＤで反射された反射レーザ光は、ＰＵＨ１１のフォトディテクタ４１により検出され、その光の強度に対応して大きさが変化する出力信号に変換される。フォトディテクタ４１の出力信号は、増幅器５１により所定レベルまで増幅され、コントローラ（主制御装置）１０１と接続されたピックアップサーボ回路１１１、ＲＦ信号処理回路（出力信号処理回路）１１２、およびアドレス信号処理回路１１３に出力される。
【００２２】
サーボ回路１１１では、図２を参照して後段に詳述するが、ＰＵＨ１１の対物レンズのフォーカスサーボ（対物レンズの焦点位置に対する、光ディスクＤの記録層と対物レンズとの間の距離の差の制御）信号およびトラッキングサーボ（対物レンズの光ディスクＤのトラックを横切る方向の位置の制御）信号が生成される。それぞれの信号は、図示しないフォーカスアクチュエータとトラッキングアクチュエータとに出力される。
【００２３】
ＲＦ信号処理回路１１２では、フォトディテクタにより検出され、再生された信号からユーザーデータや管理情報が取り出され、アドレス信号処理回路１１３では、アドレス情報、すなわちＰＵＨ１１の対物レンズが現在対向している光ディスクＤのトラックまたはセクタを示す情報が取り出され、コントローラ１０１に出力される。
【００２４】
コントローラ１０１においては、アドレス情報を元に、所望の位置のユーザーデータ等のデータを読み出すために、あるいは所望の位置にユーザーデータや管理情報を記録するために、ＰＵＨ１１の位置が制御される。
【００２５】
また、コントローラ１０１では、光ディスクＤに情報を記録する場合や、光ディスクＤから情報を再生する場合に、レーザ素子（ＬＤ）から出力されるべきレーザ光の光強度が指示される。なお、コントローラ１０１の指示により、所望の位置のアドレス（あるいはセクタ）に既に記録されているデータが消去可能である。
【００２６】
光ディスクＤへ情報を記録する場合は、（コントローラ１０１の制御により）記録信号処理回路１１４において、光ディスクＤへの記録に適した記録波形信号に変調された記録データすなわち記録信号がレーザ駆動回路（ＬＤＤ）１１５に供給される。ＰＵＨ１１のレーザ素子からは、ＬＤＤ１１５から供給されるレーザ駆動信号に対応して、記録すべき情報に応じて強度が変化されたレーザ光が出力される。これにより、光ディスクＤに情報が記録される。
【００２７】
図２は、図１に示した光ディスク装置のＰＵＨ（光ピックアップすなわち光ヘッド）の構成の一例を示す。
【００２８】
ＰＵＨ１１は、例えば半導体レーザ素子である第１の光源２１を含む。第１の光源２１から出力されるレーザ光の波長は、例えば４００〜４１０ｎｍで、好ましくは４０５ｎｍである。ＰＵＨ１１はまた、例えば半導体レーザ素子である第２の光源２２を含む。第２の光源２２から出力されるレーザ光の波長は、好ましくは６５５ｎｍである。ＰＵＨ１１はさらに、例えば半導体レーザ素子である第３の光源２３を含む。第３の光源２３から出力されるレーザ光の波長は、好ましくは７８５ｎｍである。
【００２９】
ＰＵＨ１１の光ディスクＤと対向する側の所定位置には、図１に示した光ディスク装置１に装着された光ディスクＤの種類に応じて第１ないし第３の光源２１〜２３のいずれかから出射されるレーザ光を光ディスクＤの図示しない記録面に集光するとともに、記録面で反射された反射レーザ光を捕捉する対物レンズ３１が設けられている。なお、対物レンズ３１は、上述の第１ないし第３のレーザ素子２１〜２３から出力されるレーザ光のそれぞれに対して、所定の開口数（ＮＡ）を提供可能な３波長対応レンズである。また、対物レンズ３１は、例えばプラスチック製であり、開口数ＮＡは、波長４０５ｎｍのレーザ光に対して、例えば０．６５、波長６５５ｎｍのレーザ光に対して、例えば０．６である。
【００３０】
第１ないし第３のレーザ素子（光源）２１〜２３と対物レンズ３１との間には、第１のレーザ素子２１の側から、第１の光結合プリズム３２、第２の光結合プリズム３３、コリメートレンズ３４、および光回折素子（ＨＯＥ）３５が配置されている。なお、通常は、光路設計上、あるいはＰＵＨ１１の厚さを低減する目的で、例えばコリメートレンズ３４と光回折素子３５との間、あるいはコリメートレンズ３４と第２の光結合プリズム３３との間に、光路を折り曲げるためのミラー（通常、立ち上げミラーと称される）３６が設けられる。
【００３１】
第１の光結合プリズム３２と第２の光結合プリズム３３との間には、第１の光結合プリズム３２から第２の光結合プリズム３３（すなわち第１の光源２１から光ディスクＤ）に向かうレーザ光は、そのほとんどが透過可能で、光ディスクＤの記録面で反射された反射レーザ光は、所定の割合で反射するビームスプリッタ３７が設けられている。
【００３２】
ビームスプリッタ３７により反射された反射レーザが向かう方向には、光ディスクＤの情報記録面で反射された反射レーザ光を検出して、その光強度に対応する電気信号を出力する光検出器４１が設けられている。
【００３３】
第１の光結合プリズム（ダイクロイックプリズム）３２は、第１の光源すなわちＨＤ  ＤＶＤ向けの半導体レーザ素子２１からの波長４０５（４００〜４１０）ｎｍのレーザ光Ｌ１を透過し、第２の光源すなわちＤＶＤ向けの半導体レーザ素子２２からの波長６５５（６４０〜６７０）ｎｍのレーザ光Ｌ２を反射して、両波長のレーザ光を、同一光路上に結合する。なお、第１の光結合プリズム３２は、第１の光源２１からのレーザ光Ｌ１の強度に、実質的に損失を与えることなく透過可能であることが要求される。このため、例えば約６５５ｎｍよりも波長が短いレーザ光に対して、反射率が０％（基材表面による反射を除く）である。従って、ここでは、膜特性反転波長帯（反射と透過の特性が入れ替わる波長帯）は、好ましくは４０５〜６５５ｎｍの間に規定される。なお、一般に、レーザ素子から出力されるレーザ光の波長は、レーザ素子の温度およびその周囲温度の変動により、例えば１０ｎｍ／５℃程度変動することが知られている。また、出力レーザ光の中心波長にも、個体差がある。このため、実際には、膜特性反転波長帯の波長帯域は、これらの温度変動の影響を含んで規定されることはいうまでもない。
【００３４】
一方、第２の光結合プリズム３３（トリクロイックプリズム）は、第１および第２の光源２１，２２からのレーザ光を透過（第３の光源２３からの７８５（７７５〜７９５）ｎｍのみ反射）させなければならない。従って、約７８５ｎｍよりも波長が短いレーザ光に対しては、反射率が０％（基材表面による反射を除く）である。従って、膜特性反転波長帯は、６５５〜７８５ｎｍの間に規定される。もちろん、この波長７８５ｎｍのレーザ光を出力するレーザ素子から出力されるレーザ光の波長も、レーザ素子の温度およびその周囲温度の変動により、例えば１０ｎｍ／５℃程度変動することが知られている。また、出力レーザ光の中心波長にも、個体差がある。このため、実際には、膜特性反転波長帯の波長帯域は、これらの温度変動の影響を含んで規定されることはいうまでもない。
【００３５】
次に、図２に示したＰＵＨによる光ディスクへのレーザ光の照射および光ディスクからのレーザ光について、詳細に説明する。
【００３６】
第１の光源２１から出射された波長４０５ｎｍのレーザ光Ｌ１は、第１の光結合プリズム３２、ビームスプリッタ３７および第２の光結合プリズム３３の順に、立ち上げミラー３６に案内される。立ち上げミラー３６に案内されたレーザ光Ｌ１は、立ち上げミラー３６で反射されて進行方向が変化され、コリメートレンズ３４および光回折素子（ＨＯＥ）３５を通って対物レンズ３１に案内され、対物レンズ３１により、光ディスクＤの図示しない記録面に集光される。
【００３７】
第２の光源２２から出射された波長６５５ｎｍのレーザ光Ｌ２は、第１の光結合プリズム３１で反射され、ビームスプリッタ３７および第２の光結合プリズム３３の順に、立ち上げミラー３６に案内される。なお、立ち上げミラー３６で反射されたレーザ光Ｌ２は、レーザ光Ｌ１と同様に、対物レンズ３１により、光ディスクＤの図示しない記録面に集光される。
【００３８】
第３の光源２３から出射された波長７８５ｎｍのレーザ光Ｌ３は、第２の光結合プリズム３３で反射され、立ち上げミラー３６に案内される。なお、立ち上げミラー３６で反射されたレーザ光Ｌ２は、レーザ光Ｌ１と同様に、対物レンズ３１により、光ディスクＤの図示しない記録面に集光される。
【００３９】
光ディスクＤの記録面で反射された反射レーザ光（Ｌ１〜Ｌ３）は、対物レンズ３１により捕捉され、光回折素子３５に戻される。
【００４０】
光回折素子３５に戻された反射レーザ光（Ｌ１〜Ｌ３）は、図３を用いて以下に説明するが、光検出器４１の受光面に予め所定の間隔および位置関係が与えられている受光領域（検出領域）により検出可能な所定数に波面分割され、コリメートレンズ３４に戻されたのち、立上げミラー３６によりビームスプリッタ３７に向けて反射される。
【００４１】
なお、光ディスクＤの記録面で反射された第１のレーザ素子２１からのレーザ光Ｌ１とＬ２は、ビームスプリッタ３７で反射され、光検出器４１の受光面に結像される。これに対し、レーザ光Ｌ３は、第２の光結合プリズム３３の波長選択膜面３３ａで反射されて、第３のレーザ光源２３と一体化されている図示しない光検出器に案内される。
【００４２】
光検出器４１の受光面に案内された反射レーザ光（Ｌ１，Ｌ２）は、図示しないが、例えば互いに直交する２本の分割線により４つに分割された受光領域のそれぞれにより検出され、その光強度に対応する大きさの出力信号として出力される。なお、４つの受光領域に加えて、主としてトラッキングサーボ信号を生成するために用いられる受光領域が設けられてもよいことはいうまでもない。
【００４３】
光検出器４１の受光面の個々の検出領域からの出力信号（反射レーザ光検出出力）は、詳述しないが、所定の減算処理と加算処理により、既に説明したフォーカスサーボ信号やトラッキングサーボ信号等の生成に利用される。
【００４４】
図４は、光回折素子の作用を示している。
【００４５】
図４に示すように、光回折素子３５は、主として波長４０５ｎｍのレーザ光を角度θで回折させる第１の回折パターン３５−１と、主として波長６５５ｎｍのレーザ光を角度θで回折させる第２の回折パターン３５−２が、所定の厚さの基材（石英）に一体的に形成された多重回折格子である。なお、第１の回折パターン３５−１はブレーズ格子であり、第２の回折パターン３５−２はバイナリ（溝が平坦で、基材の表面に対して溝の面が平行な）格子である。それぞれの回折パターンは、例えばホログラム構造により基材の両面に形成される。もちろん、独立した基材に、それぞれの回折パターンが独立に形成されてもよいことはいうまでもない。このとき、図４から明らかなように、個々の回折パターンの溝が延びる方向は、概ね平行に規定される。
【００４６】
第１および第２の回折パターン３５−１，３５−２は、そのピッチが最適化されることにより、第２の回折パターン３５−２は、波長４０５ｎｍのレーザ光のほとんどをそのまま透過でき、第１の回折パターン３５−１は、波長６５５ｎｍのレーザ光のほとんどをそのまま透過できる。また、それぞれの回折パターン３５−１，３５−２は、いずれも波長７８５ｎｍのレーザ光に影響を及ぼさない（挿入損失は、僅かであるが認められる）。
【００４７】
上述の第１および第２の回折パターン３５−１，３５−２によりレーザ光が回折される角度θを、それぞれのレーザ光の波長において実質的に等しくなるように、設定することで、光検出器４１の受光面の複数の検出領域の位置を、それぞれの光について概ね等しい位置とすることができる。すなわち、光検出器４１の予め区分された複数の受光領域は、その受光領域の少なくとも一部の受光領域が、第１の回折パターン（ブレーズ型）３５−１により回折されたレーザ光と、第２の回折パターン（バイナリ型）３５−２により回折されたレーザ光のそれぞれにおいて同一である（または少なくとも一部の光スポットが重なる程度に近接して形成される）。
【００４８】
従って、後段に設けられる増幅器５１（図１参照）により個々の検出領域（受光セル）の出力が増幅されるまでの間にノイズ成分が重畳されることが低減され、Ｓ／Ｎ（信号／ノイズ）比の高い、安定な再生信号が得られる。
【００４９】
なお、Ｓ／Ｎ比の向上については、上述の２つの回折格子の組み合わせにより、波長の異なるレーザ光を、実質的に同一の位置または極めて近接した位置に集光可能としたことにより、個々の検出領域（受光セル）の大きさ（面積）が低減できることも、要因の１つである。
【００５０】
ところで、バイナリ型の回折格子３５−２を通過する第２の光源２２からのレーザ光Ｌ２に関しては、角度θで、０次光を対称軸として反対側（−θの位置）に、１次回折光の残りの成分（ビームスポット）が得られる。従って、残りの成分（１次回折光の１／２）を用いて、例えばＲＦ信号を得る等の応用が期待できる。
【００５１】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。例えば、光回折素子は、ブレーズ型とバイナリ型のそれぞれが独立に、設けられてもよいことはいうまでもない。また、光回折素子の母材として、その厚さを最適に設定することにより、レーザ光の偏光の方向を回転させる位相板（λ／４板）を兼ねることもできる。この場合、対物レンズ３１側にλ／４板が配置されることが好ましい。
【図面の簡単な説明】
【００５２】
【図１】本発明が適用可能な光ディスク装置の一例を示す概略図。
【図２】図１に示した光ディスク装置に組み込まれる光ヘッドの要素を説明する概略図。
【図３】図２に示した光ヘッドの光回折素子による波面分割と光検出器の検出領域との関係を説明する概略図。
【図４】図２に示した光ヘッドの光回折素子の作用を説明する概略図。
【符号の説明】
【００５３】
１…光ディスク装置（情報記録再生装置）、１１…光ヘッド（光ピックアップ）、２１…（出力光の波長４０５ｎｍの）第１の光源、２２…（出力光の波長６５５ｎｍの）第２の光源、２３…（出力光の波長７８５ｎｍの）第３の光源、３１…対物レンズ、３２…第１の光結合プリズム、３３…第２の光結合プリズム、３４…コリメートレンズ、３５…光回折素子、３５−１…ブレーズ型回折格子、３５−２…バイナリ型回折格子、３６…立ち上げミラー、３７…ビームスプリッタ、４１…光検出器、５１…増幅器、１０１…コントローラ、１１１…サーボ回路、１１２…ＲＦ信号処理回路、１１３…アドレス信号処理回路、１１４…記録信号処理回路、１１５…ＬＤＤ（レーザダイオード駆動回路）、Ｄ…光ディスク（記録媒体）。
【図１】
2006309852.tif 000003
【図２】
2006309852.tif 000004
【図３】
2006309852.tif 000005
【図４】
2006309852.tif 000006